【手続補正書】
【提出日】平成30年1月17日(2018.1.17)
【手続補正１】
【補正対象書類名】明細書
【補正対象項目名】０００６
【補正方法】変更
【補正の内容】
【０００６】
実施形態によれば、電子機器は、マイクを介して音声信号を受ける入力部と、ディスプレイと、前記音声信号の録音、録音された前記音声信号の音声認識、および音声区間を前記ディスプレイの画面上に表示する処理を少なくとも実行する制御部と、を具備する。前記制御部は、前記音声信号の録音中に、前記音声信号に含まれる第１音声区間を示す第１オブジェクトと、前記第１音声区間の後の第２音声区間を示す第２オブジェクトを時系列に並べて前記画面上に表示し、前記第１音声区間の前記音声認識に対応する第１文字列を、前記第１音声区間の前記音声認識が完了したときに、前記第１オブジェクトに関連付けて前記画面上に表示し、前記第２音声区間の前記音声認識に対応する第２文字列を、前記第２音声区間の前記音声認識が完了したときに、前記第２オブジェクトに関連付けて前記画面上に表示し、前記第１オブジェクトが前記画面上から消える位置にあると判断した時は前記第１オブジェクトの音声認識をスキップして、後続する前記第２オブジェクトの少なくとも一部を音声認識する。
【手続補正２】
【補正対象書類名】特許請求の範囲
【補正対象項目名】全文
【補正方法】変更
【補正の内容】
【特許請求の範囲】
【請求項１】
マイクを介して音声信号を受ける入力部と、
ディスプレイと、
前記音声信号の録音、録音された前記音声信号の音声認識、および音声区間を前記ディスプレイの画面上に表示する処理を少なくとも実行する制御部と、
を具備し、
前記制御部は、
前記音声信号の録音中に、前記音声信号に含まれる第１音声区間を示す第１オブジェクトと、前記第１音声区間の後の第２音声区間を示す第２オブジェクトを時系列に並べて前記画面上に表示し、
前記第１音声区間の前記音声認識に対応する第１文字列を、前記第１音声区間の前記音声認識が完了したときに、前記第１オブジェクトに関連付けて前記画面上に表示し、
前記第２音声区間の前記音声認識に対応する第２文字列を、前記第２音声区間の前記音声認識が完了したときに、前記第２オブジェクトに関連付けて前記画面上に表示し、
前記第１オブジェクトが前記画面上から消える位置にあると判断した時は前記第１オブジェクトの音声認識をスキップして、後続する前記第２オブジェクトの少なくとも一部を音声認識する電子機器。
【請求項２】
前記画面上から前記第２音声区間が優先順位付け指定されると、前記第１オブジェクトと前記第２オブジェクトの前記画面上の表示位置に係わらず前記第２オブジェクトが先に音声認識される請求項１記載の電子機器。
【請求項３】
前記制御部は、前記第１オブジェクトと前記第２オブジェクトの低域の音声成分と中域の音声成分とを観察し、両音声成分ともフォルマント成分が存在することを検出しない場合、当該オブジェクトの音声認識を行わない請求項１記載の電子機器。
【請求項４】
前記制御部は、前記第１文字列を前記第１音声区間の長さに応じた態様で前記画面上に表示し、前記第２文字列を前記第２音声区間の長さに応じた態様で前記画面上に表示する請求項１記載の電子機器。
【請求項５】
前記制御部は、前記第１オブジェクトまたは前記第１文字列と、前記第２オブジェクトまたは前記第２文字列を音声認識の未処理、処理中、処理完了に応じた態様で前記画面上に表示する請求項１記載の電子機器。
【請求項６】
マイクを介して音声信号を受ける入力部と、ディスプレイと、前記音声信号の録音、録音された前記音声信号の音声認識、および音声区間を前記ディスプレイの画面上に表示する処理を少なくとも実行する制御部と、を具備する電子機器の方法であって、
前記音声信号の録音中に、前記音声信号に含まれる第１音声区間を示す第１オブジェクトと、前記第１音声区間の後の第２音声区間を示す第２オブジェクトを時系列に並べて前記画面上に表示し、
前記第１音声区間の前記音声認識に対応する第１文字列を、前記第１音声区間の前記音声認識が完了したときに、前記第１オブジェクトに関連付けて前記画面上に表示し、
前記第２音声区間の前記音声認識に対応する第２文字列を、前記第２音声区間の前記音声認識が完了したときに、前記第２オブジェクトに関連付けて前記画面上に表示し、
前記第１オブジェクトが前記画面上から消える位置にあると判断した時は前記第１オブジェクトの音声認識をスキップして、後続する前記第２オブジェクトの少なくとも一部を音声認識する方法。
【請求項７】
前記画面上から前記第２音声区間が優先順位付け指定されると、前記第１オブジェクトと前記第２オブジェクトの前記画面上の表示位置に係わらず前記第２オブジェクトが先に音声認識される請求項６記載の方法。
【請求項８】
前記第１オブジェクトと前記第２オブジェクトの低域の音声成分と中域の音声成分とを観察し、両音声成分ともフォルマント成分が存在することを検出しない場合、当該オブジェクトの音声認識を行わない請求項６記載の方法。
【請求項９】
前記第１文字列を前記第１音声区間の長さに応じた態様で前記画面上に表示し、前記第２文字列を前記第２音声区間の長さに応じた態様で前記画面上に表示する請求項６記載の方法。
【請求項１０】
前記第１オブジェクトまたは前記第１文字列と、前記第２オブジェクトまたは前記第２文字列を音声認識の未処理、処理中、処理完了に応じた態様で前記画面上に表示する請求項６記載の方法。
【請求項１１】
マイクを介して音声信号を受ける入力部と、ディスプレイと、前記音声信号の録音、録音された前記音声信号の音声認識、および音声区間を前記ディスプレイの画面上に表示する処理を少なくとも実行する制御部と、を具備するコンピュータにより実行されるプログラムであって、
前記音声信号の録音中に、前記音声信号に含まれる第１音声区間を示す第１オブジェクトと、前記第１音声区間の後の第２音声区間を示す第２オブジェクトを時系列に並べて前記画面上に表示する手順と、
前記第１音声区間の前記音声認識に対応する第１文字列を、前記第１音声区間の前記音声認識が完了したときに、前記第１オブジェクトに関連付けて前記画面上に表示する手順と、
前記第２音声区間の前記音声認識に対応する第２文字列を、前記第２音声区間の前記音声認識が完了したときに、前記第２オブジェクトに関連付けて前記画面上に表示する手順と、
前記第１オブジェクトが前記画面上から消える位置にあると判断した時は前記第１オブジェクトの音声認識をスキップして、後続する前記第２オブジェクトの少なくとも一部を音声認識する手順と、
を前記コンピュータに実行させるプログラム。
【請求項１２】
前記画面上から前記第２音声区間が優先順位付け指定されると、前記第１オブジェクトと前記第２オブジェクトの前記画面上の表示位置に係わらず前記第２オブジェクトを先に音声認識する手順を更に具備する請求項１１記載のプログラム。
【請求項１３】
前記第１オブジェクトと前記第２オブジェクトの低域の音声成分と中域の音声成分とを観察し、両音声成分ともフォルマント成分が存在することを検出しない場合、当該オブジェクトの音声認識を行わない請求項１１記載のプログラム。
【請求項１４】
前記第１文字列を前記第１音声区間の長さに応じた態様で前記画面上に表示する手順と、
前記第２文字列を前記第２音声区間の長さに応じた態様で前記画面上に表示する手順を更に具備する請求項１１記載のプログラム。
【請求項１５】
前記第１オブジェクトまたは前記第１文字列と、前記第２オブジェクトまたは前記第２文字列を音声認識の未処理、処理中、処理完了に応じた態様で前記画面上に表示する手順を更に具備する請求項１１記載のプログラム。